(57)【要約】【課題】コネクタ装置全体の径方向の厚みを大きくすることなくコンパクトで且つ接続作業に手間がかからないコネクタ装置を提供する。【解決手段】レセプタクル20とプラグ40とで構成されるコネクタ装置10において、プラグ40のコード管50の挿入部51に隣接してコード管50の外周面上に回転スリーブ70を設け、それらの隣接する挿入部51と回転スリーブ70との外周面上に、それぞれ位置決め突起61とロック突起73とを挿入方向(軸方向)に整列させて設け、レセプタクル20の内周面に軸方向に延びる位置決め溝29を設け、位置決め溝29に連通して周方向に延びるロック溝30をレセプタクル20の内周面に設け、レセプタクル20とプラグ40との嵌合時に、位置決め突起61とロック突起73とを共に軸方向に整列した状態で位置決め溝29に挿入し、ロック時にロック突起73のみを周方向に移動させてロック溝30内に保持するようになったことを特徴とする。【選択図】図１
2018037337.tif 000002
【特許請求の範囲】
【請求項１】
一方の端子を収容するレセプタクルと他方の端子を収容するプラグとを嵌合させることによって端子同士を接続するコネクタ装置であって、
前記レセプタクルは、前記プラグとの嵌合時に前記プラグを受け入れる受入開口を形成する円筒部を有し、
前記プラグは、前記レセプタクルとの嵌合時に前記受入開口に挿入されるコード管と、前記コード管の挿入部分と隣接して前記コード管の外周面に回転自在に配置された回転スリーブとを有し、
前記レセプタクルの円筒部の内周面と、前記プラグとの嵌合時に該内周面と対応する前記コード管及び前記回転スリーブの外周面とに、前記コード管を前記レセプタクルに対して位置決めし且つ嵌合状態を保持するための位置決め及びロック機構が設けられ、
前記位置決め及びロック機構は、前記レセプタクルと前記プラグとの嵌合時において前記回転スリーブを前記コード管と共に軸方向に移動するように規制し、前記嵌合状態を保持するロック時において、前記回転スリーブを前記コード管に対して周方向に移動するように規制するように構成されたことを特徴とする、
コネクタ装置。
【請求項２】
前記嵌合時及びロック時において、前記回転スリーブの周方向移動を規制する規制手段が設けられていることを特徴とする、
請求項１に記載にコネクタ装置。
【請求項３】
前記位置決め及びロック機構は、
前記コード管の挿入部分の前記回転スリーブに隣接する側の外周面に設けられた少なくとも１つの位置決め突起と、
前記回転スリーブの前記コード管に隣接する側の外周面に設けられ、前記位置決め突起の各々に軸方向に整列する少なくとも１つのロック突起と、
前記レセプタクルの円筒部の内周面に設けられた軸方向に延びる少なくとも１つの位置決め溝であって、前記嵌合時に、前記少なくとも１つの位置決め突起と前記少なくも１つのロック突起とを共に軸方向に整列した状態で受け入れる少なくとも１つの位置決め溝と、
前記少なくとも１つの位置決め溝と連通するように前記レセプタクルの円筒部の内周面に設けられた周方向に延びる少なくとも１つのロック溝であって、前記ロック時に、前記少なくとも１つのロック突起のみを受け入れる少なくとも１つのロック溝と、
を有することを特徴とする、
請求項１又は２に記載のコネクタ装置。
【請求項４】
前記規制手段は、前記回転スリーブが配置された前記コード管の外周面に設けられた周方向規制突起と、前記回転スリーブの内周面に設けられた前記周方向規制突起と係合する周方向規制部材とを有し、前記周方向規突起は、前記嵌合時に前記周方向規制部材と係合する非ロック位置と、前記ロック時に前記周方向規制部材と係合するロック位置とを有するように構成されていることを特徴とする、
請求項２又は３に記載のコネクタ装置。
【発明の詳細な説明】
【技術分野】
【０００１】
本発明は、コネクタ装置に関し、特に、一方の端子を収容するレセプタクルと他方の端子を収容するプラグとを嵌合させることによって端子同士を接続するコネクタ装置であって、電気コネクタ又は光コネクタとして使用されるコネクタ装置に関する。
【背景技術】
【０００２】
従来、コネクタ装置として、一方の端子を収容するレセプタクルと他方の端子を収容するプラグとを嵌合させることによって端子同士を接続する接続方式として、プラグをレセプタクルに差し込んで捩じることで両者を接続するパヨネット式（例えば、特許文献１参照）が知られている。
【０００３】
特許文献１に示すコネクタ装置は、レセプタクルの外周に軸方向で摺動自在に設けられた環状のロックリングを備えている。ロックリングは、レセプタクルとプラグが嵌合した際に、これら嵌合部分を覆う位置に移動して、周方向の一方に回転することで、他方であるプラグに係合して、両者の嵌合状態をロックする。また、コネクタ装置は、ロックリングをレセプタクルの外面で、軸方向にのみ摺動するように規制し、且つ、ロックリングを係合部分を覆う位置で周方向にのみ回動するように規制するガイド突状部を備えている。
【先行技術文献】
【特許文献】
【０００４】
【特許文献１】特開２０１４−２３５８７２号公報
【発明の概要】
【発明が解決しようとする課題】
【０００５】
しかしながら、特許文献１のコネクタでは、ロックリングの移動を規制するガイド突状部がレセプタクルの嵌合部分の外面に設けられ、その嵌合部分を覆うロックリングの内面と係合するように構成されているため、コネクタ装置全体の径方向の厚みが大きくなる。また、嵌合時にレセプタクルとプラグとの嵌合部分を覆うようにロックリングを軸方向に移動する必要があるので、接続作業に手間がかかるという課題がある。
【０００６】
本発明の目的は、このような従来技術の課題を解決して、コネクタ装置全体の径方向の厚みを大きくすることなくコンパクトで且つ接続作業に手間がかからないコネクタ装置を提供することである。
【課題を解決するための手段】
【０００７】
本願発明の１つの特徴によれば、一方の端子を収容するレセプタクルと他方の端子を収容するプラグとを嵌合させることによって端子同士を接続するコネクタ装置であって、前記レセプタクルは、前記プラグとの嵌合時に前記プラグを受け入れる受入開口を形成する円筒部を有し、前記プラグは、前記レセプタクルとの嵌合時に前記受入開口に挿入されるコード管と、前記コード管の挿入部分と隣接して前記コード管の外周面に回転自在に配置された回転スリーブとを有し、前記レセプタクルの円筒部の内周面と、前記プラグとの嵌合時に該内周面と対応する前記コード管及び前記回転スリーブの外周面とに、前記コード管を前記レセプタクルに対して位置決めし且つ嵌合状態を保持するための位置決め及びロック機構が設けられ、前記位置決め及びロック機構は、前記レセプタクルと前記プラグとの嵌合時において前記回転スリーブを前記コード管と共に軸方向に移動するように規制し、前記嵌合状態を保持するロック時において、前記回転スリーブを前記コード管に対して周方向に移動するように規制するように構成されたことを特徴とする、コネクタ装置が提供される。
【０００８】
本発明の別の特徴によれば、前記コネクタ装置に、前記嵌合時及びロック時において、前記回転スリーブの周方向移動を規制する規制手段が設けられていてもよい。
【０００９】
また、本発明の更に別の特徴によれば、前記位置決め及びロック機構は、前記コード管の挿入部分の前記回転スリーブに隣接する側の外周面に設けられた少なくとも１つの位置決め突起と、前記回転スリーブの前記コード管に隣接する側の外周面に設けられ、前記位置決め突起の各々に軸方向に整列する少なくとも１つのロック突起と、前記レセプタクルの円筒部の内周面に設けられた軸方向に延びる少なくとも１つの位置決め溝であって、前記嵌合時に、前記少なくとも１つの位置決め突起と前記少なくも１つのロック突起とを共に軸方向に整列した状態で受け入れる少なくとも１つの位置決め溝と、前記少なくとも１つの位置決め溝と連通するように前記レセプタクルの円筒部の内周面に設けられた周方向に延びる少なくとも１つのロック溝であって、前記ロック時に、前記少なくとも１つのロック突起のみを受け入れる少なくとも１つのロック溝と、を有していてもよい。
【００１０】
本発明の更に別の特徴によれば、前記規制手段は、前記回転スリーブが配置された前記コード管の外周面に設けられた周方向規制突起と、前記回転スリーブの内周面に設けられた前記周方向規制突起と係合する周方向規制部材とを有し、前記周方向規制突起は、前記嵌合時に前記周方向規制部材と係合する非ロック位置と前記ロック時に前記周方向規制部材と係合するロック位置とを有するように構成されていてもよい。
【発明の効果】
【００１１】
本発明によれば、回転スリーブが、コード管の挿入部分と隣接してコード管の外周面に回転自在に配置されており、コード管を覆うような構造になっていない。また、位置決め及びロック機構が、レセプタクルの円筒部の内周面と、コード管及び回転スリーブの外周面とに設けられているので、従来のコネクタ装置に比べて回転スリーブの厚みがコネクタ装置全体の厚さを厚くすることがなく、よりコンパクトな構造のコネクタ装置を達成できる。また、位置決め及びロック機構が、レセプタクルとプラグとの嵌合時において回転スリーブをコード管と共に軸方向に移動するように規制しているので、レセプタクルにプラグを挿入するだけで嵌合状態を達成でき、状来のコネクタ装置のようにその後に回転スリーブを軸方向に移動させる必要がなく、接続作業に手間がかからない。
【図面の簡単な説明】
【００１２】
【図１】図１は、本発明の一実施形態によるコネクタ装置の嵌合前の状態におけるレセプタクルとプラグを示す斜視図であって、（Ａ）はレセプタクルを示し、（Ｂ）はプラグを示している。
【図２】図２は、図１のレセプタクルを示す図であって、（Ａ）は図１の（Ａ）の側面図、（Ｂ）は（Ａ）のＡ−Ａ線断面図、（Ｃ）は（Ｂ）のＢ−Ｂ線断面図をそれぞれ示している。
【図３】図３は、図１の（Ｂ）のプラグの一部であるコード管のみを示す図であって、（Ａ）はコード管の正面図、（Ｂ）はコード管の斜視図をそれぞれ示している。
【図４】図４は、図１の（Ｂ）のプラグの一部である回転スリーブのみを示す斜視図である。
【図５】図５は、図１のコネクタ装置の嵌合後の状態におけるレセプタクルとプラグを示す図であって回転スリーブが非ロック位置にある状態を示し、（Ａ）はコネクタ装置の側面図、（Ｂ）は（Ａ）のＡ−Ａ線断面図、（Ｃ）は（Ａ）のＢ−Ｂ線断面図をそれぞれ示している。
【図６】図６は、図１のコネクタ装置の嵌合後の状態におけるレセプタクルとプラグを示す図であって回転スリーブがロック位置にある状態を示し、（Ａ）はコネクタ装置の側面図、（Ｂ）は（Ａ）のＣ−Ｃ線断面図、（Ｃ）は（Ａ）のＤ−Ｄ線断面図をそれぞれ示している。
【発明を実施するための形態】
【００１３】
以下図面を参照して本発明の一実施形態によるコネクタ装置について説明する。
【００１４】
図１に示すように、コネクタ装置１０は、レセプタクル２０と、そのレセプタクル２０内へ挿入して嵌合されるプラグ４０とで構成され、プラグ４０は、さらに、コード管５０と回転スリーブ７０とを有している。
【００１５】
まず、図１及び図２を参照して、レセプタクル２０の構造について説明すると、レセプタクル２０は、本体部２１と円筒部２２と取付フランジ部２３とを有している。取付フランジ部２３は、本体部２１の外面から外方に延びた四角形の部材であって、その四隅に取付ねじ用孔２４が設けられている。コネクタ装置１０を機器のパネル等に取り付ける際に、その取付ねじ用孔２４に取付ねじ（図示せず）を捻じ込むことによって、コネクタ装置のレセプタクル２０が機器のパネル等に固定される。
【００１６】
円筒部２２の内部には、プラグ４０のコード管５０の挿入部５１を受け入れるための受入開口２５が形成されている。この受入開口２５は、円筒部２２の内部から本体部２１の内部まで延びており、その受入開口２５の底面２６から、本体部２１に収容されたケーブル（図示せず）の先端に接続された雄端子２７が垂直に延びている。受入開口２５は、円筒部２２内に形成された受入開口２５ａと本体部２１内に形成された受入開口２５ｂから成り、受入開口２５ａの内径は、受入開口２５ｂの内径よりも大きくなっており、両開口の境界には、円筒部２２から本体部２１にかけて内径が絞られるテーパ面２８が形成されている（図１（Ａ）、図２（Ｃ）参照）。
【００１７】
円筒部２２の内周面には、プラグの挿入方向である軸方向に延びる位置決め溝２９ａ、２９ｂ、２９ｃ、２９ｄ、２９ｅ（以下「位置決め溝２９」と総称する）と、周方向に延びるロック溝３０ａ、３０ｂ、３０ｃ、３０ｄ、３０ｅ（以下「ロック溝３０」と総称する）とが設けられている。ロック溝３０はそれぞれ対応する位置決め溝２９の軸方向中央部分においてその位置決め溝２９と連通している。径方向において、ロック溝３０の深さは位置決め溝２９の深さよりも深く、円筒部の外壁を貫通している。すなわち、位置決め溝２９は、円筒部２２の軸方向全長に亘って延びる凹状の溝であり、ロック溝３０は、位置決め溝２９の中央部から周方向に延びかつ円筒部２２の内周面から外周面まで貫通する貫通孔である。なお、ロック溝は貫通孔に限定されるものではなく、ロック突起が嵌り合う形状であればよい。
【００１８】
次に、図１及び図３を参照して、レセプタクル２０に嵌合されるプラグ４０について説明する。プラグ４０は、図１（Ｂ）に示されるように、コード管５０と回転スリーブ７０とを有している。コード管５０は、レセプタクル２０の受入開口２５に挿入される挿入部５１とケーブル５２が収容された本体部５３とで構成されている。回転スリーブ７０は、コード管５０の挿入部５１と隣接して本体部５３の外周面に回動自在に配置されている。
【００１９】
また、コード管の本体部５３にはケーブル５２をコード管５０に取り付けるためのナット５４が取り付けられている。挿入部５１は、さらに、先端面５８側の小径部５５と本体部５３側の大径部５６とで構成されている。小径部５５と大径部５６との間の境界には、大径部５６から小径部５５にかけて外径が絞られるテーパ面５７が形成されている。このテーパ面５７は、プラグ４０がレセプタクル２０に挿入された際に、レセプタクル２０のテーパ面２８に対向するようになっている。
【００２０】
挿入部５１の先端面５８には、雌端子５９が設けられている。この雌端子５９は、レセプタクル２０がプラグ４０と嵌合された際に、レセプタクル２０の雄端子２７と接続されるようになっている。また、挿入部５１の先端面５８の縁部にも、コード管５０の受入開口２５への挿入を可能にするためにテーパ面６０が設けられている。
【００２１】
挿入部５１の大径部５６の外周面には、位置決め突起６１ａ、６１ｂ、６１ｃ、６１ｄ、６１ｅ（以下「位置決め突起６１」と総称する）が設けられている。これらの位置決め突起６１は、それぞれ、レセプタクル２０の位置決め溝２９に対応しており、各位置決め突起６１の幅（周方向長さ）及び高さ（径方向長さ）は、対応する各位置決め溝内に受け入れられるように設定されている。
【００２２】
コード管５０の本体部５３の外周面には、本体部５３の外周面に回動自在に配置された回転スリーブ７０の周方向の移動を規制する手段の一部が設けられている。この規制手段の一部は、本体部５３の外周面に取り付けられた台形状の周方向規制突起６２で構成されている。コード管５０の本体部５３の外周面には、この周方向規制突起６２と一体に軸方向規制ストッパ６３も設けられており、この軸方向規制ストッパ６３によって、回転スリーブ７０がコード管５０から抜け出るのが防止されると共に回転スリーブ７０がコード管５０の挿入部５１と隣接された状態に保持される。この台形状の周方向規制突起６２の周方向の両側面は、径方向外方に向かって絞られるテーパ面６４を形成している。この周方向規制突起６２が、上記規制手段の他の部分を構成する、後述する回転スリーブ７０の内周面に設けられた周方向規制部材７７と係合して回転スリーブ７０の周方向の移動を規制するようになっている。
【００２３】
次に、図１及び図４を参照して、回転スリーブ７０について説明すると、回転スリーブ７０は、コード管５０の挿入部５１に隣接してコード管５０の本体部５３の外周面に回動自在に取り付けられた環状部７１と、その環状部７１の外周面に取り付けられた操作リング７２とで構成されている。この操作リング７２は、コード管５０を回転スリーブ７０と共にレセプタクル２０の受入開口２５内に挿入したり、回転スリーブ７０をコード管５０に対して周方向に回転したりするような操作を行うものである。環状部７１の先端部すなわちコード管５０の挿入部５１に隣接する側には、コード管５０の位置決め突起６１とそれぞれ軸方向に整列したロック突起７３ａ、７３ｂ、７３ｃ、７３ｄ、７３ｅ（以下「ロック突起７３」と総称する）が設けられている。
【００２４】
これらのロック突起７３は、プラグ４０がレセプタクル２０と嵌合される嵌合時に、それぞれ、整列したコード管５０の位置決め突起６１と共に、レセプタクル２０の対応する位置決め溝２９に受け取られ、その後、ロック時に、回転スリーブ７０がコード管５０に対して周方向に回転されることに伴って周方向に移動して、対応するロック溝３０にそれぞれ受け取られるようになっている。従って、各ロック突起の幅（周方向長さ）及び高さ（径方向長さ）は、対応する各ロック溝内に受け入れられるように設定されている。
【００２５】
回転スリーブ７０の内周面には、上述したコード管５０の周方向規制突起６２と係合して回転スリーブ７０の周方向移動を規制するための周方向規制部材７７が設けられている。この周方向規制部材７７は、回転スリーブ７０の内壁に設けられた２つの突状部７４、７５を有している。これらの突状部が設けられた回転スリーブ７０の内壁の両側にはスリット７６が設けられ、これにより、周方向規制部材７７は、半径方向外方に撓むことが可能になっている。突状部７４と突状部７５の間には、非ロック時に、コード管５０の周方向規制突起６２を受け入れるための凹部７８が形成されている。
【００２６】
突状部７４の両側面及び突状部７５の凹部７８側の側面には、回転スリーブ７０の内壁面から径方向内方に向かって絞られるようなテーパ面７９が形成されており、これらのテーパ面７９が、非ロック時又はロック時において、周方向規制突起６２の両側面に形成されたテーパ面６４の双方又は一方と係合するようになっている（図５及び図６参照）。これによって、回転スリーブが非ロック位置とロック位置との間で移動する際に、所定の力により周方向規制突起６２が突状部６４の山を乗り越えられるようになっている。また、その際に、周方向規制部材７７が径方向外方に向かって撓むことによって、その移動を可能としている。
【００２７】
次に、図５及び図６を参照して、コネクタ装置１０の動作について説明する。回転スリーブ７０は、図５に示すような非ロック位置と図６に示すようなロック位置とを有している。非ロック位置では、コード管５０の周方向規制突起６２が回転スリーブ７０の周方向規制部材７７の凹部７８の間に受け入れられている。この際、周方向規制突起６２のテーパ面６４と、凹部７８を形成する突状部７４、７５のテーパ面７９が係合して回転スリーブ７０を非ロック位置に保持するようになっている。図５のようなレセプタクル２０とプラグ４０が嵌合された状態にある時だけでなく、図１に示すような嵌合前の状態でも、回転スリーブ７０は非ロック位置に保持されている。
【００２８】
プラグ４０をレセプタクル２０と嵌合させる際には、作業者が図１の（Ｂ）の状態のままでプラグ４０の回転スリーブ７０の操作リング７２を操作することによって、コード管５０の挿入部５１をレセプタクル２０の円筒部２２の受入開口２５内に挿入する。その際に、各位置決め突起６１と対応する位置決め溝２９との位置合わせを行って挿入する。コード管５０の挿入部５１は、受入開口２５の円筒部２２側の受入開口２５ａを越えて本体部２１側の受入開口２５ｂまで到達し、コード管５０の先端面５８が受入開口２５の底面２６に対向する。この際に、コード管５０のテーパ面５７が受入開口２５のテーパ面２８と対向する。また、コード管５０を受入開口２５に挿入する際には、コード管５０の先端面５８に設けられたテーパ面６０によって挿入作業が容易に行われるようになっている。  
【００２９】
以上述べた嵌合前の状態からコード管５０がレセプタクル２０の受入開口２５に挿入されてプラグ４０とレセプタクル２０との嵌合が完成するまでの動作では、回転スリーブ７０は図５に示すような非ロック位置にある。従って、コード管５０の周方向規制突起６２が、回転スリーブ７０の周方向規制部材７７の突状部７４と突状部７５の間に形成された凹部に係合している。この時に、周方向規制突起６２の両側面のテーパ面６４が突状部７４と突状部７５の凹部側のテーパ面７９と係合し、回転スリーブ７０がコード管５０に対して周方向へ回転しないように保持される。
【００３０】
また、コード管５０の軸方向規制ストッパ６３によって回転スリーブ７０の軸方向の移動も規制されるので、コード管５０の位置決め突起６１と回転スリーブ７０のロック突起７３とが、嵌合作業中に、図１に示すような軸方向に整列し且つ隣接した状態で、レセプタクル２０の位置決め溝２９内に挿入され、嵌合作業が完了すると、回転スリーブ７０のロック突起７３が、位置決め溝２９がロック溝３０に連通する位置まで到達する（図５（Ｂ）参照）。この連通位置において、ロック突起７３は、ロック溝３０内へ移動可能となる。
【００３１】
レセプタクル２０とプラグ４０との嵌合が完了すると、作業者は、その嵌合状態を保持するすなわちロック状態にするために、図５において矢印Ａで示す方向に回転スリーブ７０を回転させて図６に示す状態にする。すなわち、回転スリーブ７０を非ロック位置からロック位置へと移動させる。このロック位置へ移動する際には、作業者は、図５（Ｃ）に示されたような回転スリーブ７０の周方向規制部材７７とコード管５０の周方向規制突起６２との係合状態を解除するために、回転スリーブ７０の操作リング７２を所定の力で操作して、回転スリーブ７０を矢印Ａの方向に回転させる。その際、周方向規制部材７７が径方向外方に撓むことが可能になっていること、及び、周方向規制部材７７の突状部７４と周方向規制突起６２との係合面がテーパ面になっていることから、周方向規制部材７７の突状部７４が周方向規制突起６２の山を乗り越えられるようになっている。
【００３２】
このように、回転スリーブ７０が矢印Ａの方向に回転されると、回転スリーブ７０のロック突起７３だけが、上記位置決め溝２９の連通位置からロック溝３０内へ案内されて周方向に移動する。このとき、コード管５０の位置決め突起６１は、レセプタクル２０の位置決め溝２９内にあってその周方向移動はその位置決め溝２９の壁によって規制されるので、周方向に移動することなくその位置に保持される。
【００３３】
そして、図６に示すようなロック位置では、回転スリーブ７０の周方向規制部材７７の突状部７４の左側面が、コード管５０の周方向規制突起６２の右側面と係合する。これによって、回転スリーブの図６の矢印Ｂの方向への周方向移動が規制される。またこのロック位置では、回転スリーブ７０のロック突起７３の大部分の突起（例えば図６の７３ａ、７３ｂ、７３ｃ、７３ｄ参照）の全体が、レセプタクル２０のロック溝３０（例えば図６の３０ａ、３０ｂ、３０ｃ、３０ｄ参照）内にあって、その矢印Ｂ方向とは逆の方向（図５の矢印Ａの方向）の周方向移動はそのロック溝３０の奥の壁によって規制されるので、Ｂ方向及びＡ方向の何れの方向にも周方向に移動することなくその位置に保持される。
【００３４】
また、コネクタ装置１０のロック状態を解除して、プラグ４０をレセプタクル２０から抜去可能な状態にする場合には、作業者が、上述したのと逆の手順で作業を行う。すなわち、回転スリーブ７０を図６に示すロック位置から図５に示す非ロック位置へ移動するように操作リングを操作する。まず、作業者は、図６（Ｃ）に示されたような回転スリーブ７０の周方向規制部材７７とコード管５０の周方向規制突起６２との係合状態を解除するために、回転スリーブ７０の操作リング７２を所定の力で操作して、回転スリーブ７０を矢印Ｂの方向に回転させる。その際、周方向規制部材７７が径方向外方に撓むことが可能になっていること、及び、周方向規制部材７７の突状部７４と周方向規制突起６２との係合面がテーパ面になっていることから、周方向規制部材７７の突状部７４が周方向規制突起６２の山を乗り越えられるようになっている。そして、回転スリーブ７０の周方向規制部材７７の突状部７４と突状部７５の間の凹部７８にコード管５０の周方向規制突起６２が保持される（図５の（Ｃ）参照）。
【００３５】
このように、回転スリーブ７０が矢印Ｂの方向に回転されると、回転スリーブ７０のロック突起７３が、ロック溝３０から周方向に移動して位置決め溝２９内へ戻される。すなわち、回転スリーブは非ロック位置に戻される。この非ロック位置では、コード管５０の位置決め突起６１と回転スリーブのロック突起７３とが軸方向に整列した状態でレセプタクル２０の位置決め溝２９内にあるので、作業者が操作リングを軸方向に操作することによって、プラグ４０をレセプタクル２０から抜去することが可能になる。従って、そのような作業を実行することによって、プラグ４０がレセプタクル２０から抜去される。
【００３６】
以上本発明のコネクタ装置の一実施形態について説明したが、本発明のコネクタ装置は、上記説明に限定されることなく、様々な変更が可能である。例えば、上記実施形態では、位置決め溝２９、ロック溝３０、位置決め突起６１及びロック突起７３が５つ設けられているが、これらの数は同数であれば、１つ又は複数の任意の数であってもよい。また、それらの位置も、レセプタクル２０、コード管５０及び回転スリーブ７の周方向の任意の位置であってもよい。また、それらの周方向長さについても、上記実施形態のように位置合わせのために異なっていてもよいし、又は、すべて同じであってもよい。ただし、すべて同じ場合には、位置合わせのマークをレセプタクル２０及びプラグ４０の双方に設けるのが好ましい。
【００３７】
また、上記実施形態では、対応する位置決め突起６１とロック突起７３の周方向長さが同じに設定されている（図１（Ｂ）参照）が、ロック突起７３の周方向長さは位置決め突起６１の周方向長さよりも小さくてもよい。また、上記実施形態では、ロック溝３０の深さ（径方向長さ）が位置決め溝２９の深さ（径方向長さ）よりも深く、レセプタクル２０の円筒部２２の外壁を貫通している（図１（Ａ）参照）が、これは、加工が容易との理由のためであり、これらの深さは同じであってもよい。また、同様の理由で、ロック溝３０が円筒部２２の中心から放射状に延びるように設けられていない（図２（Ｂ）参照）が、ロック溝３０が円筒部２２の中心から放射状に延びるように設けられていてもよい。
【００３８】
また、上記実施形態では、回転スリーブ７０のロック突起７３が、嵌合時に、整列したコード管５０の位置決め突起６１と共にレセプタクル２０の位置決め溝２９に受け取られるようになっているので、回転スリーブ７０はコード管５０と共に軸方向に移動可能である。さらに、嵌合時に、回転スリーブ７０の周方向規制部材７７とコード管５０の周方向規制突起６２とによって回転スリーブ７０がコード管５０と共に周方向に移動することが規制されている。従って、上記実施形態では、嵌合時に、回転スリーブ７０がコード管５０と共に軸方向にのみ移動するように規制されている。また、ロック突起７３が、ロック時に、回転スリーブ７０がコード管５０に対して周方向に回転されることに伴って周方向に移動してロック溝３０に受け取られるようになっているので、回転スリーブ７０は、コード管５０に対して周方向に移動可能である。さらに、ロック時に、周方向規制部材７７と周方向規制突起６２とによってロック突起６１がロック溝３０から位置決め溝２９に戻ることが規制されている。従って、上記実施形態では、ロック時に、回転スリーブ７０がコード管５０に対して周方向にのみ移動するように規制されている。
【００３９】
しかしながら、本発明はこのような実施形態に限定されるものではない。例えば、上記実施形態において、周方向規制部材７７と周方向規制突起６２を設けないように構成してもよい。この場合は、嵌合時に回転スリーブ７０がコード管５０と共に軸方向に移動するように規制され、ロック時に、回転スリーブ７０がコード管５０に対して周方向に移動するように規制されることになる。
【産業上の利用可能性】
【００４０】
本発明のコネクタ装置は、電気コネクタ及び光コネクタに適用できる。
【符号の説明】
【００４１】
１０  コネクタ装置
２０  レセプタクル
２１  本体部
２２  円筒部
２３  取付フランジ部
２４  取付ねじ用孔
２５、２５ａ、２５ｂ  受入開口
２６  底面
２７  雄端子
２８、５７、６０、６４、７９  テーパ面
２９ａ、２９ｂ、２９ｃ、２９ｄ、２９ｅ  位置決め溝
３０ａ、３０ｂ、３０ｃ、３０ｄ、３０ｅ  ロック溝
４０  プラグ
５０  コード管
５１  挿入部
５２  ケーブル
５３  コード管の本体部
５４  ナット
５５  小径部
５６  大径部
５８  先端面
５９  雌端子
６１  位置決め突起
６２  周方向規制突起
６３  軸方向規制ストッパ
７０  回転スリーブ
７１  環状部
７２  操作リング
７３  ロック突起
７４、７５  突状部
７６  スリット
７７  周方向規制部材
７８  凹部
【図１】
2018037337.tif 000003
【図２】
2018037337.tif 000004
【図３】
2018037337.tif 000005
【図４】
2018037337.tif 000006
【図５】
2018037337.tif 000007
【図６】
2018037337.tif 000008